(57)【特許請求の範囲】
【請求項１】
圧縮機システム用の保護装置において、
電動機と電動機により駆動される圧縮機とを有しかつ冷却流体を含む気密密閉された容器と、
容器の壁部を通じて複数個の導電性の導出ピンを提供するために容器に固定されたヘッダーと、
電動機保護装置を取り付けるためにかつ電動機の巻線と前記導出ピンとの間に電気的な接続を提供するために容器内に配置された集合ブロックであって、当該集合ブロックは、電動機保護装置を受け取るための電動機保護装置シート部分と、少なくとも１つの導出ピン受入れ開口部とを有する、前記集合ブロックと、
前記集合ブロックの電動機保護装置シート部分上に受け入れられた電動機保護装置であって、当該電動機保護装置は、第１および第２の端子を有する熱応答スイッチを有する、前記電動機保護装置と、
少なくとも１つの導出ピンを電動機に相互接続するための電気的接続手段であって、前記電気的接続手段は、ヒューズリンクの両端に第１および第２の端部を有する端子およびヒュージブルリンクの組合せを含んでおり、前記第１の端部は、電動機保護装置の外部で前記第１の端子に電気的に接続され、前記第２の端部は、前記少なくとも１つの導出ピンに電気的に接続され、前記端子およびヒュージブルリンクの組合せと前記電動機保護装置は、前記冷却流体に露出される、前記電気的接続手段と、
前記第２の端子と電動機との間に接続された電気的なリードと、
を有する保護装置。
【請求項２】
前記集合ブロックは、底壁部および直立した側壁部を有する第１のベース部材を有し、第２の部材が、前記電動機保護装置シート部分を囲むように第１のベース部材上に受け取られる、請求項１に記載の保護装置。
【請求項３】
前記端子およびヒュージブルリンクの組合せのヒュージブルリンクは、第１平面から見たときにほぼ半円形に形成され、第１平面と垂直な第２平面から見たときほぼＶ字形の形態に延在する、請求項１に記載の保護装置。
【請求項４】
前記集合ブロックは、頂壁部と、底壁部と、第１端部と、前記電動機保護装置シート部分が形成された第２端部と、前記第１端部と前記第２端部の間に形成された平行に延在する複数のみぞと、前記底壁部を貫通するように形成されかつ各導出ピンのために各みぞと整合する前記導出ピン受入れ開口部と、前記第１端部から前記複数のみぞのうちの２つのみぞ内にそれぞれ受け取られかつ前記導出ピン受入れ開口部と整合しかつピン受入れコネクタを有する前記電気的なリードと、前記第２端部から前記複数のみぞの３番目のみぞの中に受け入れられた前記端子およびヒュージブルリンクの組合せとを有し、前記端子およびヒュージブルリンクの組合せは、３番目のみぞの前記導出ピン受入れ開口部と整合するピン受入れコネクタを有する、請求項１に記載の用保護装置。
【請求項５】
前記電動機保護装置の第２の端子に接続された端子がスペード端子ブレードに形成されており、当該スペード端子ブレードは、前記第２端部から前記複数のみぞのうちのもう１つの別のみぞ内に延在し、かつ前記第１端部から前記別のみぞに受入れられる前記電気的なリードに取り付けられた迅速接続部材を受け取る、請求項４に記載の保護装置。
【請求項６】
電動機保護装置の第２の端子に接続された前記端子には、前記別のみぞ内に形成された凹部内に受け入れるために外方に延在する保持突起部が設けられている、請求項５に記載の保護装置。
【請求項７】
電動機および当該電動機によって駆動される圧縮機を有する気密封止された容器と容器内に冷却流体を含み、ヘッダが容器に固定されていて複数の電気的に導電性導出ピンが容器の壁部を介して提供される圧縮機システム用の保護装置であって、
前記容器内に配置され少なくとも１つの導出ピン受入れ開口部を有する集合ブロックであって、前記集合ブロックは、電動機保護装置を受入れるための電動機保護装置シート部分を有する、前記集合ブロックと、
第１および第２の端子を有する熱的に応答するスイッチを含む電動機保護装置であって、前記電動機保護装置は、前記集合ブロックの電動機保護装置シート部分に受け取られている、前記電動機保護装置と、
前記電動機保護装置の外部で前記第１の端子に電気的に接続された端子およびヒュージブルリンクの組合せであって、前記端子およびヒュージブルリンクの組合せと前記電動機保護装置は前記冷却流体に露出される、前記端子およびヒュージブルリンクの組合せとを有し、
前記第２の端子は前記電動機に電気的に接続され、前記端子およびヒュージブルリンクの組合せはさらに前記導電性導出ピンに電気的に接続される、
保護装置。
【請求項８】
前記集合ブロックは、前記電動機の固定子巻線に結合するために細長い部材を受入れるためのストリング受入れ凹部が形成されかつ前記電動機保護装置シート部分が形成された第１のベース部材と、前記第１のベース部材上に取り付け可能であり、前記電動機保護装置シート部分上の電動機保護装置を固定するための第２の部材とを有し、前記第１のベース部材には凹部が形成され、前記第２の部材には前記凹部と係合するタブが形成される、請求項７に記載の保護装置。
【請求項９】
前記集合ブロックは、底壁部および直立した側壁部を有する前記第１のベース部材を有し、前記第２の部材が、前記電動機保護装置シート部分を囲むように前記第１のベース部材上に受け取られる、請求項７に記載の保護装置。
【請求項１０】
前記端子およびヒュージブルリンクの組合せのヒュージブルリンクは、第１平面から見たときにほぼ半円形に形成され、第１平面と垂直な第２平面から見たときほぼＶ字形の形態に延在する、請求項７に記載の保護装置。
【請求項１１】
前記集合ブロックは、頂壁部と、底壁部と、第１端部と、前記電動機保護装置シート部分が形成された第２端部と、前記第１端部と前記第２端部の間に形成された平行に延在する複数のみぞと、前記底壁部を貫通するように形成されかつ各導出ピンのために各みぞと整合する前記導出ピン受入れ開口部と、前記第１端部から前記複数のみぞのうちの２つのみぞ内にそれぞれ受け取られかつ前記導出ピン受入れ開口部と整合しかつピン受入れコネクタを有する前記電気的なリードと、前記第２端部から前記複数のみぞの３番目のみぞの中に受け入れられた前記端子およびヒュージブルリンクの組合せとを有し、前記端子およびヒュージブルリンクの組合せは、３番目のみぞの前記導出ピン受入れ開口部と整合するピン受入れコネクタを有する、請求項７に記載の用保護装置。
【請求項１２】
前記電動機保護装置の第２の端子に接続された端子がスペード端子ブレードに形成されており、当該スペード端子ブレードは、前記第２端部から前記複数のみぞのうちのもう１つの別のみぞ内に延在し、かつ前記第１端部から前記別のみぞに受入れられる前記電気的なリードに取り付けられた迅速接続部材を受け取る、請求項１１に記載の保護装置。
【請求項１３】
電動機保護装置の第２の端子に接続された前記端子には、前記別のみぞ内に形成された凹部内に受け入れるために外方に延在する保持突起部が設けられている、請求項１２に記載の保護装置。
【発明の詳細な説明】
【０００１】
【発明の属する技術分野】
本発明は、一般に、電動機に関し、かつさらに特定すると、故障状態の場合に電動機の動力源を断つために電流／温度応答装置の使用に関する。
【０００２】
【従来の技術】
気密密閉された冷凍空調圧縮機システムは、典型的には、流体で充満した気密密閉された容器内に圧縮機と圧縮機を駆動する電動機とを搭載している。導出ピンが圧縮機を運転するために電気回路内の電動機を電気的に接続するために壁部に対してかつ相互に密閉されかつ電気絶縁された状態で容器の壁部を通じて延在している。電動機保護装置が電動機内の故障状態の発生から生ずるかもしれない電動機の温度上昇に対して熱応答するように容器の内部に搭載されている。保護装置は、また、典型的には、電動機回路に接続され、それにより保護装置はこのような故障状態から生ずるかもしれない電動機内の過電流状態に応答し、また電動機の過熱を阻止するために電動機の運転を中断するようになっている。
【０００３】
【発明が解決しようとする課題】
過負荷走行状態またはロックした回転子状態またはこれら二つの状態の組合わせが原因で電動機の温度が選定限度を超えまたは電動機に過大な電流が流れるときには、電動機保護装置が動力回路を開く。正規の運転においては、圧縮機が使用される機器の保護装置が滅多にトリップせず、トリップ時には動力回路が開かれかつ電動機保護装置が電動機の故障に対して保護するが、機器の寿命のために過熱した電動機から火災が発生するおそれがある。時折、ある異常な状態のために、自動的にリセット可能である電動機保護装置が周期的動作をする。故障状態が無修正の状態のままに放置されると、最終的に電動機保護装置が寿命となり故障することがあり得る。故障は、典型的には、アーク放電とその後の溶着に起因する保護装置内の溶着接触した状態の電気接点が要因である。この状態が起きると、分岐回路の保護に依存して、機器への動力の供給が中断される。もしも、ある理由のために、分岐回路の保護作用で過熱した機器に至る回路が開かれなければ、火災またはその他の大災害状態が起きるおそれがある。電動機巻線と接地用導体との間の絶縁が高い熱のために破壊されると、最終的な大災害による故障が起こり、かつ巻線と接地用導体との短絡または何回もの短絡が起き、その結果、数百アンペアまたはそれ以上のアンペアの電流サージが発生する。これにより、電流通路におけるその他の構成部分、例えば、ヘッダーを通じて給電されるシールされたガラスの故障が発生する。その結果、高圧高温の冷凍ガスおよび潤滑油が圧縮機の容器外に排出されよう。このようなガスまたは潤滑油の排出を防止するために、電気接点と直列に接続された気密の電動機保護装置の内部に配置されたヒュージブルリンクを提供することが知られている。このリンクは、電動機に流れる電流が接地用導体との間の短絡前にいずれの条件をも上まわると、回路を融解させかつ回路を永久的に開くように設計され、典型的には、焼損電流は、通常のロックした回転子の電流の最悪の場合よりもほぼ２５％高くかつ連続的であり、かつ保護装置が周期動作するために作用が間欠的でない。
【０００４】
しかしながら、このアプローチにおいては、保護装置内のサーモスタットディスクは、ヒュージブルディスクにより発生された熱を補償するため、ヒュージブルリンクを含まない保護装置内の相当するサーモスタットディスクよりも高い使用温度に耐えるように構成されなければならない。より高い使用温度で自動温度調節スナップ作動ディスクを構成するために必要な高い応力は、ディスクの予期寿命を短縮する。ディスクが校正する高い温度のために、サーモスタット金属が疲労しかつ接点のその後の溶着によりクリープ作用をうける。これは、例えば、回転子のロック状態をひき起こす圧縮機の運転時瞬間的な動力の中断が起きる場合に特にあてはまる。
【０００５】
【課題を解決するための手段】
それゆえに、本発明の一つの目的は、上記の従来技術の制限を克服する空調冷凍用圧縮機のための保護装置を提供することにある。本発明の別の目的は、サイズがコンパクトなこのような圧縮機および最小の労力で圧縮機内に設置することができる一つの圧縮機を保護する装置を提供することにある。本発明のさらに別の目的は、圧縮機電動機を過電流および過大温度状態から保護する圧縮機の導出ピンに容易に接続される改良された装置を提供しかつ電動機保護装置が負荷軽減されない（すなわち、ディスクが慣用の正規の使用温度を有する保護装置）保護装置の故障の場合に動力回路を永久に使用不可能にすることである。
【０００６】
すなわち、本発明の第１実施例によれば、空調冷凍圧縮機用電動機の保護装置は、電動機保護装置と、該保護装置の外側に取り付けられた端子／ヒュージブルリンク部材組合せとを搭載する集合ブロックを備えている。集合ブロックは、圧縮機容器の壁部内に取り付けられたヘッダーの共通の導出ピンに取り付けられている。別の電動機保護端子および電動機巻線端子は、便利に取り付けるための迅速接続部材を使用する圧縮機用電動機の電気回路と接続されている。端子／ヒュージブルリンク部材組合せのヒュージブルリンク部分が選択された材料、例えば、接地用導体との間で短絡するときに電動機回路を開くために使用されるベリリウム銅または接地用導体との間で短絡する前に回路を開くための亜鉛からなる。本発明の一つの特徴によれば、ヒュージブルリンク用のいくつかの特定の意図した効果を生ずる構成が保護装置のパッケージサイズを増大することなく延長された長さのヒューズリンク部分を提供する。本発明の別の実施例によれば、集合ブロックは、すべての３つのヘッダーピン上に受け入れられるように適応している。この実施例の一つの特徴によれば、複数個の平行に延在するみぞがピンコネクタを両方の方向に受け入れ、その後、集合ブロックのピン受入れ開口部が導出ヘッダーピンを受け入れる。本発明の別の特徴によれば、スペード端子ブレードを有する特殊ブラケットが一つの平行なみぞ内に受け入れられかつ一部分が集合ブロックの壁部内の溶接近接窓を利用して電動機保護装置のピン端子に溶接される。迅速接続部材をスペード端子ブレードから除去するときに、過大な力が電動機保護装置のピン端子に作用することを阻止するために、タブがブラケットから集合ブロックの壁部の開口部を通じて延在しかつ所定位置にかしめて固定されている。付加的な保持力は、スペード端子ブレードと隣接したブラケット上に形成されかつ集合ブロック壁部に形成された凹部内に固定可能に受け入れられた外方に延在するばね突起部を設けることにより得ることができる。端子／フュージブルリンク組合せは、電動機保護装置のハウジングに溶接されかつ共通の導出ピンに平行に延在するみぞのうちの一つのみぞを通じて延在している。本発明の望ましき特徴によれば、電動機保護装置は、電動機保護ハウジングに対して電気絶縁された関係に端子ピンを取り付けるヘッダーを有し、この保護ハウジングにおいては、ヘッダーは集合ブロック組立体を組み立てるときに電動機保護装置の整合を助けるためにほぼ長方形の特色を有するように形成することができる。別の実施例は、電動機保護装置および端子／ヒュージブルリンク組合せを密閉する集合ブロックを備えている。集合ブロックは、ある圧縮機容器においては、スペースに関する必要条件を満たすために不規則な形態を有する。さらに別の実施例は、圧縮機用電動機の固定子巻線に直接に結合するために電動機保護装置および組合わせ端子／ヒュージブルリンクを取り付けるための二部分からなるスナップ組立体部材を示している。
【０００７】
【発明の実施の形態】
圧縮機システムの保護装置のその他の目的、利点および細部は、本発明の好ましい実施例の以下の詳細な説明から明らかであり、詳細な説明は図面を参照して記載されている。
【０００８】
図面に示された部分のある部分の寸法は、本発明をさらに詳細に例示するために変更することができる。
【０００９】
対応した参照符号は、図面の図全体を通じての対応した部分を例示している。
【００１０】
図面の図１を参照すると、符号１０は、本発明の新規かつ改良された冷凍機システムおよび／または空調システムを総称し、このシステムは圧縮機１２と、気密密閉された容器１６の内部に取り付けられた圧縮機を操作するための電動機１４とを含んでいる。冷却液が圧縮機および電動機を包囲する容器１６内に受け入れられかつ複数個の導電性の導出ピン１８ａ，１８ｂ，１８ｃが壁部に対して隔置された電気絶縁された容器１６の壁部を通じて延在しかつ電気回路内の電動機と電気的に接続するために相互に連絡している。
【００１１】
本発明によれば、圧縮機１２は、慣用の態様で密閉された容器の内部に配置された慣用の電動機により操作されるように配置された慣用の回転型装置である。導出ピン１８ａ，１８ｂ，１８ｃがヘッダーに対しかつガラスシール手段により相互に密封された電気的に絶縁された状態のヘッダー内の開口部内に固定されたピンを有する慣用のヘッダー１８内に取り付けられ、ヘッダー１８が慣用の態様で容器１６の壁部に慣用の態様で溶接されることが好ましい。
【００１２】
本発明の第１実施例によれば、新規の改良された電動機保護ユニットが導出ピン１８ａの内側端に容器１６の内部で取り付けられかつ容器１６の内部の温度の変化ならびに電動機を過熱に対して保護するために電動機の過負荷電流の変化に熱的に応答するように電動機１４の電気回路内に接続されると共に、圧縮機システムの容易な、経済的なかつ信頼できる組立体をも容易にする。
【００１３】
特に、図１から図４を参照すると、第１実施例の電動機保護ユニット２０は、好適な電気絶縁材料、例えば、相互にほぼ平行な平面内に延在する側壁部２２ａ，２２ｂおよび２２ｃと、底壁部２２ｄおよび底壁部２２ｅとを有する成形可能な熱可塑性材料で形成された集合ブロック２２を備えている。本発明によれば、任意の慣用の型式の熱および電流応答電動機保護装置、例えば、米国特許第４４８５２３１号に示された熱および電流応答電動機保護装置が集合ブロック２２に取り付けられ、それにより電動機保護装置が本発明の譲受人に譲渡された日本特許出願第１４１２１１／８６号に開示された態様と全く同様に電動機１４の電気回路に容易に接続される。この電動機保護装置は、集合ブロックの開放された頂部および前部における冷凍流体にさらされている。電動機保護装置２４は、底壁部２２ｅに形成された傾斜した突出面２２ｎおよび２２ｏを有する切欠き部分２２ｆ内に受け入れられた端子ピン２４ａにより端子ピン２２ａと端子ピン２２ｂとの間に架台に支えられている。これにより電動機保護装置を安定化させている。端子ピン２４ａは、めす迅速接続部分２６ｂ、オフセット部分２６ｃおよびフューズ部分２６ｄを備えている端子２６のタブ２６ａと溶接されている。端子２６は、ピン開口部２６ｈ内に受け入れられた迅速接続部材２６ｂ，切欠き部分２２ｆ内のオフセット部分２６ｃおよび側壁部分２２ｂと２２ｃとの間に配置されたフューズリンク部分２６ｄを有する集合ブロック２２内に受け入れられている。迅速接続部分２６ｂは、スペード型ブレード端子１８ａ１を受け入れるために形成されている。
【００１４】
端子２８は、電動機保護装置２４の導電性ハウジング２４ｂに溶接するためのＵ字形ブラケットの湾曲部において溶接タブ部分２８ｂを有するほぼＵ字形ブラケット２８ａと、２つのボス２２1 の各々の開口部２２ｋ内に受け入れられかつその内部にかしめられたＵ字形ブラケットの脚部のそれぞれの遠位端部から下方に延在するアーム２４ｃとを備えている。スペード端子ブレード２８ｄが溶接タブ２８ｂから外方に後壁部２２ｄのスロット２２ｍを通じて延在している。
【００１５】
電動機保護装置２４は、図３および図３ａにダッシュ線で示すように可動電気接点２４ｅは、端子ピン２４ａに取り付けられたスナップ作動電流担持サーモスタットディスク２４ｄを有する。ハウジング２４ｂの平坦化された部分２４ｇに取り付けられた固定接点２４ｆが離接動作するように自由遠位端部に取り付けられている。端子ピン２４ａは、好適な誘電体、例えば、ガラス２４ｃにより管寄せ２４ｈから電気的に隔離されている。電動機保護装置２４がその長手方向の軸線に対する所望の配向において電動機保護装置を集合ブロック２２に配置することを容易にするためにヘッダーを丸く形成されたほぼ長方形の隅部２４ｈ1 に形成するように改良することが好ましい。このようにすることにより、また、電動機保護装置の固定接触に対してその上に取り付けられたヘッダーおよびディスクの適切な角度配向を保証することを助ける。
【００１６】
電流は、図３に矢印２４ｋで示すように、電動機巻線から、スペード端子２８を通じて、図示していない迅速接続端子を経て、ハウジング２４ｂ、電気接点２４ｆ，２４ｅ、サーモスタットデイスク２４ｄ、端子ピン２４ａ、フューズリンク部分２６ｄ、迅速接続部材２６ｂを通じて、共通の導出ピン１８ａに流れる。図１に示した導出ピン１８ａおよび１８ｃは、電動機１４のそれぞれの巻線に接続されている。
【００１７】
サーモスタットディスクが過熱されかつ所定の校正された温度レベルに達したときに、サーモスタットディスクが図３にダッシュ線で示した位置から反対のダッシュ線（図示せず）まで相互に係合から離脱した接点２４ｅ，２４ｆによりスナップ作動して、圧縮機用電動機１４への動力を中断する。サーモスタットデイスクの温度が校正された低いリセット値に低下したときに、サーモスタットディスクが接点係合位置に戻るようにスナップ作動して、電動機を励起させる。もしもなんらかの理由で電動機保護装置が過度のアーク放電または同様な故障を通じて接点２４ｅ，２４ｆが一緒に溶着することにより故障し、かつ電動機の故障が起こり、例えば、ロックされた回転子の状態、ヒューズリンク部分２６ｄがヘッダー１８のガラス１８ｄが破壊する前に、ヒューズリンク２６ｄが消失することを選択する。ヒューズリンク部分２６ｄは、選択された値に対する電気抵抗を増大し、それによりヒュージブルリンクが産業界に知られている選択された時間対電流曲線依存して消失する好適な材料、例えば、ある導電率を有するベリリウム銅で形成されまた、狭められた部分を有する。一実施例によれば、図５および図５ａに示すように、ヒューズリンク部分２６ｄは、選択された厚さおよび導電率を有する狭められた中央部分を有し、正規の電流、例えば５０Ａを許容し、フューズリング部分が有為な熱を発生することなくし、しかして十分な熱を発生し、それにより前記の熱が狭められた部分を選択された時間対電流曲線に基づいて融解するように流している。典型的には、これは、例えば、その予想された寿命を超えた時間において、電動機保護装置の故障後に、接点が一緒に融解したときに、巻線の絶縁が接地用導体との間の短絡電流により破壊された後に起きる。この高い電流がフューズを消失させかつヘッダー内のガラス材料の故障をひき起こすような容器の内部の圧力および温度が増大する前に電流を切断する。図５および図５ａに示すように、ヒュージブルリンク２６ｄが図５ａに示す平面において狭められておりかつ図５ａに示す平面において投射されたように湾曲し、集合ブロック２２のパッケージサイズを拡大することなく、より長い有効長を提供する。小さいコンパクトなパッケージとすることにより、前記パッケージを圧縮機容器内で得られる非常に限定されスペースの内部に取り付けるために有効なことである。
【００１８】
さらに有効なヒュージブルリンクが図５ｂおよび図５ｃに示され、これらの図においては、ヒュージブルリンク２６ｄ′もまた図５ｃにおいて示した平面において湾曲しかつ図５ｂに示す平面において投射されるように、図５ｃの平面にほぼ垂直である部分がネックダウンされかつ２６ｆにおいてほぼＶ字形の形態において変形され、パッケージサイズを増大することなくさらに長い有効長が得られる。
【００１９】
端子２６とヒュージブルリンク組合せは、図面に示すように一体に形成でき、または所望されれば、一緒に溶接された別個の部材から構成できる。さらに、接地用導体との間の短絡が起きる前にヒュージブルリンク２６ｄが電流の流れを中断するようにヒュージブルリンク２６ｄを選択することができる。例えば、ヒュージブルリンク部分のための材料としてのベリリウム銅よりも低い融点を有する亜鉛を使用することにより、抵抗率の比較的に高い正の温度係数が得られる。材料の温度が電気抵抗を増大するときにも、また増大し、それによりリンクがいわゆる仮付け溶接に付随した時間および電流を超えた点において消失するように便利に選択することができ、この仮付け溶接は、典型的には、電動機が接地用導体との間で短絡する前に数秒で依然として消失する。
【００２０】
前述したように、気密密閉された電動機保護装置の領域内でヒュージブルリンクを含むことが知られている。そうすることにより、正規の使用状態の間および一時的な過負荷の性質の状態の間にヒュージブルリンクにより発生された熱がより高い使用（開始）（ｏｐｅｎｉｎｇ）温度を選択することによりサーモスタットディスク要素を校正するために補償されなければならない。これは、ディスクの初期の疲労およびより短い寿命が得られるディスク要素のより高い応力レベルを含む。電動機保護装置２４の外側にヒューズリンクを配置することにより、この負荷軽減のみが回避されるのみでなく、またヒューズリンクが直接に冷凍流体にさらされ、従って、リンクを正規の故障状態および一時的な故障状態の間により低い温度に保持しかつそれにより潜在的な妨害のトリップを回避する作用をする。
【００２１】
本発明により提供される別の利点は、単に集合ブロックを共通のヘッダーピン１８ａ上に押し、その後、電動機からの慣用の迅速接続めすコネクタ（図示せず）をスペード端子２８ｄおよびピン１８ｂおよび１８ｃに取り付けられたスペード端子に接続することが可能であることにより大いに容易である集合ブロックおよび圧縮機用電動機１４との電気的接続組立体に関する。
【００２２】
図６から図８までの図には、電動機保護ユニット２０′の集合ブロック３０がすべての３つヘッダー導出ピン１８ａ，１８ｂおよび１８ｃ上に受け入れられるように適応した別の実施例を示してある。特に図７および図７ａを参照すると、集合ブロック３０が好適な電気絶縁性の成形適性を有する材料、例えば、熱可塑性樹脂で形成されかつ３つの平行に延在するピンコネクタ受入れみぞ３０ａ、３０ｂおよび３０ｃを有する。別の平行に延在するコネクタ受入れみぞ３０ｄがみぞ３０ｃと隣接して形成されている。みぞ３０ａおよび３０ｃは、それぞれ開放端部に面する端縁３０ｅと、向かい合った閉鎖端部３０ｆとを有し、一方、みぞ３０ｂは、開放端部に面する端縁３０ｇと、向かい合った閉鎖端部３０ｈとを有する反対の配向を有する。それぞれの導出ピン受入れ開口部３０ｉは、みぞ３０ａ、３０ｂおよび３０ｃの各々と整合する底壁部３０ｊを通じて形成されている。カム面３０ｋがピンコネクタを上側壁部３０1 に向かってみぞ内に受け入れられるように導くために開口部３０ｉの両側のみぞの各々内に形成されている。板ばね３０ｍがみぞ内にいったん挿入されたピンコネクタを固定するために肩部３０ｎを有する自由遠位端部に戻る開放端部に近い位置にある壁部３０ｊの内側から片持ちばり状に延在している。
【００２３】
みぞ３０ｄは、両方の端部において開放されかつ以下に論議するように図８および図８ｂにおいて最良に理解される端子３２を受け入れるようになっている。電動機保護装置シート３０0 が好適な電動機保護装置、例えば、第１実施例から第６実施例までの実施例に示した電動機保護装置を受け入れるために端縁３０ｇにおいて開放された集合ブロック３０内に形成されている。電動機保護装置２４′が図示したように端子ピン２４ａの軸線に垂直な横断面においてほぼ楕円形であり、それにより導出ピンの軸線の方向に見た電動機保護装置のサイズが最小限度で示されかつ前述したようにほぼ長方形の配向する構成２４ｈ1 を有するヘッダー２４ｈを有する。みぞ３０ｄ内に受け入れられた端子３２は、保護装置２４′の端子ピン２４ａに溶接された溶接タブ３２ａを有し、開口部３０ｒが溶接工程を容易にするために集合ブロック３０の壁部３０1 内に設けられ、オフセット部分３２ｂが集合ブロック３０の壁部の開口部３０ｐを通じて受け入れられた保持タブ３２ｃ（図８ｂ参照）で形成されている。スペード端子３２ｄは、図８ａ、図８ｂから理解されるように、電動機１４の共通のリード３４ｂのめす形迅速接続部材３４ａを受け入れるためにみぞ３０ｄの中に下方に延在している。もしも、所望されれば、端子３２ｄには、図８ｇから理解されるように、端縁３０に対して外方にかつ下方に延在するばね突起部３２ｅを形成することができる。これにより、めすコネクタ３４ａを除去するときに、過大な力が電動機保護装置の端子ピン２４ａに伝達されないことを保証するために、壁部形成みぞ３０ｄの図８ｄの凹部３０ｄ１の凹部内に受入れ可能な積極的保持特性を与える役目をすることができる。
【００２４】
前述したように、電動機保護装置２４′がシートの一端部を画成する集合ブロックの壁部３０0 2 に形成されたスロット３０0 1 を通じて延在する端子ピン２４ａによりシート３０0 内に受け入れられている。みぞ３０ｂ内に受け入れ可能な第２端子３６は、一端部における電動機保護装置ハウジング２４ｂに溶接された溶接タブ３６ａと、反対側の端部においてめすピンコネクタ３６ｂとを有する。一体にまたは別個に形成されかつ端子部分３６ａ，３６ｂに溶接されたヒューズリンクは、端子部分３６ａと端子部分３６ｂとの間に延在している。種々のヒューズリンクを使用することができるが、図５ｂ、図５ｃのヒューズリンク２６ｄ′が好ましくかつ図８および図８ｃに示されかつ上記の図１実施例から図５の実施例までの実施例と同様な態様で作用する。
【００２５】
電動機保護装置は、端子３２と溶接された端子ピン２４ａにより集合ブロック３０に取り付けられ、次いで圧縮機製造者に提供され、めすコネクタ３４ｅ，３４ｃをそれらのそれぞれのみぞ３０ａ、３０ｃ内に挿入しかつロックしかつ端子３２ｄ上のめすコネクタ３４ａをみぞ３０ｄ内に挿入しかつロックし、その後、集合ブロックを導出ピン１８ａ、１８ｂ、１８ｃ上に押し込んで機械的なかつ電気的な組立体を完成する。
【００２６】
別の実施例が図９に示されている。この実施例においては、電動機保護ユニット２０″は、直立した側壁部４０ｂを有するベース部分４０ａと、後壁部４０ｃと、前壁部４０ｅ，４０ｆとを有しかつ蓋４０ｇにより閉ざされた二部分からなる集合ブロック４０を備えている。任意の好適な型式の電動機保護装置２４は、凹部４０ｈ内に受け入れられている。集合ブロック４０は、特定の圧縮機容器内の利用可能なスペースと合致するために上面平面図から理解されるように不規則な形状を有する。集合ブロック４０の特定の形状を異なる利用可能なスペース構成を有する圧縮機容器に適応させるために必要に応じて変更することができることは理解されよう。端子４２は、電動機保護装置２４の端子ピン２４ａに溶接された一つの外側端部と、ピンコネクタ３６ｂで形成された反対側の端部とを有する。符号２６ｄで示してあるが、２６ｄ′またはその他の好適な構成を使用することができるヒュージブルリンクは、コネクタ部分３６ｄと端子ピン２４ａに取り付けられた端部との間に介在されている。第２端子（図示せず）が集合ブロック４０の開口部（図示せず）を通じて電動機１４の共通のリードと接続するためのハウジング２４ｂに取り付けられている。第２端子（図示せず）は、集合ブロック４０の開口部（図示せず）を通じて電動機１４の共通のリードと接続するためにハウジング２４ｂに取り付けられている。端壁部４０ｅ、４０ｆの開口部４０ｉ，４０ｊのそれぞれは、ピンコネクタ３４ｅ，３４ｃにアクセスするためのものである。その後、ヘッダー１８の端子導出ピン１８ａ，１８ｂおよび１８ｃは、ベース部分４０ａの底壁部４０1 に形成された開口部４０ｋを通じて受け入れられる。
【００２７】
図１０および図１０ａから図１０ｅは、電動機保護装置への熱伝導性を最大にするために電動機１４の固定子に直接に結合されるように特に適応した電動機保護装置２０″′の別の実施例を示す。好適な絶縁材料、例えば、熱可塑性樹脂で形成された基台（ｂａｓｅ）５２は，クレードル型保護装置シート５２ａと、端子受け入れ支持部材５２ｂとを有する。ほぼ半円形のみぞ５２ｃが基台５２を固定子巻線に結合するために使用されるナイロンストリングまたは同様な部材を受け入れるために基台５２に形成されている。フランジ５２ｅに配置された切欠部５２ｄは、付加的に結合するストリングとして使用することができる。基台５２は、巻線の平坦化した部分上に受け入れるために平坦な底壁部５２ｅで形成されて示されている。しかしながら、凹形に湾曲した底面は、もしも所望されれば、対応した形状の巻線内に受け入れるために提供することができよう。端子５４は、電動機保護装置２４′の端子ピン２４ａと溶接された第１部分５４ａと、電動機１４と接続されたリード３４ｂに電気的にかつ物理的に取り付けられた反対側の端部５４ｂとを備えている。別個の構成部分と一体に構成されるかまたは別個の構成部分で構成されたヒュージブルリンク２６ｄ″は、部分５４ａと端部５４ｂとの間に延在している。ヒュージブルリンク２６ｄ″は、真っ直ぐに延在した長さを有する狭い部分を有するように示されているが、しかしながら、任意の好適なフュージブルリンク、例えば、上記のヒュージブルリンク２６ｄおよび２６ｄ′を使用することができる。第２端子５６は、電動機保護ハウジング２４ｂ′に溶接されている。次いで、電動機保護ハウジン２４ｂ′はリード５８に慣用の態様で接続されている。リード５８は、ヘッダー１８のピン端子１８ａまで延在している。好適な電動機保護装置、例えば、保護装置２４′は上側部材５８により所定位置にロックされ、上側部材５８は、本体５２に形成された凹部５２ｆにスナップ作動するロックタブ５８ａを有するほぼＵ字形である。
【００２８】
圧縮機システム保護装置の特定の実施例が本発明を例示することにより記載されており、本発明が添付された請求の範囲内に該当する開示された実施例のすべての変型および同等部分を含む。例えば、実施例のうちのいずれかの実施例の集合ブロックの形状は、図９の実施例に記載されたような特定の圧縮機容器内の利用可能なスペースと合致するために不規則にすることができる。
【図面の簡単な説明】
【図１】本発明の第１実施例により製造された圧縮機システムの上面平面を示す略図。
【図２】圧縮機容器に取り付ける前に管寄せ導出ピン１８（ａ）により心合わせされた保護装置を有する圧縮機容器の頂部の底部の斜視図。
【図３】図２に示した保護装置の上面図、図３（ａ）は保護装置の正面図、図３（ｂ）は保護装置の右側図。
【図４】図３の保護装置の分解斜視図。
【図５】図３の保護装置の組合わせ端子およびおよびヒューズリンクの上面図、図５  （ａ）は図５の側面図、図５（ｂ）は変型組合わせ端子およびヒューズリンクの上面図。
【図６】本発明の別の実施例および圧縮機システム管寄せにより製造された保護装置の分解斜視図。
【図７】図６の集合ブロックを通じて裁断した横断面図であり、かつ図７（ａ）は図７を７ａ−７ａ線で裁った横断面図。
【図８】図８は図７と類似した横断面の応用であるが、しかし集合ブロックに取り付けられたコネクタ、端子および電動機保護装置を示す図、図８（ａ）は図８を８ａ−８ａ線で裁った横断面図、図８（ｂ）は図８を８ｂ−８ｂ線で裁った横断面図、図８（ｃ）は図８を８ｃ−８ｃ線で裁った横断面図、図８（ｄ）は図８を８ｄ−８ｄ線で裁った横断面図、図８（ｄ）は図８を８ｄ−８ｄ線で裁った横断面図、図８（ｅ）は図８の保護装置の上面図、図８（ｆ）は端子３２の変型を示す図８（ｂ）と類似の簡素化した図、かつ図８（ｅ）は図８（ｆ）の端子の側面図である。
【図９】本発明の別の実施例により製造された保護装置と共に圧縮機システム管寄せの拡大斜視図。
【図１０】図１０は、さらに別の実施例により製造された保護装置の頂部平面図、図１０（ａ）は横断面に示した一つの圧縮機を有する図１０の構造体の正面側面図、図１０（ｂ）は、図１０および図１０（ａ）の構造体の基部５２の左側側面図、図１０（ｃ）は、例示の目的のために除去されたリード３４で示した図１０、図１０（ａ）の構造体の左側側面図、図１０（ｄ）は図１０、図１０（ａ）の基部５２上に受入れ可能な部材５８の側面図、かつ図１０（ｅ）は図１０、図１０（ａ）の組合された端子およびヒューズリンクの左側側面図である。
【符号の説明】
１２  圧縮機
１４  電動機
１６  容器
１８，  管寄せ
１８ａ，１８ｂ，１８ｃ  導出ピン
１８ｄ  ガラス
２０，２０′，２０″，２０′′′  電動機保護ユニット
２２  集合ブロック
２２ａ，２２ｂ，２２ｃ  側壁部
２２ｄ，２２ｅ  底壁部
２２ｆ，２２ｊ  切断部分
２２ｈ，２２ｋ  開口部
２２ｍ  スロット
２２ｎ，２２ｏ  突出面
２２ｌ  ボス
２４，２４′  電動機保護装置
２４ａ  端子ピン
２４ｂ  電動機保護装置
２４ｃ  ガラス
２４ｄ  サーモスタットディスク
２４ｅ  可動接点
２４ｆ  固定接点
２４ｈ  管寄せ
２４ｈ1   隅部
２６  組合わせ端子
２６ｂ  めす迅速接続部分
２６ｃ  オフセット部分
２６ｄ  ヒューズリンク部分
２６ｄ′，２６ｄ″  ヒュージブルリンク
２８  スペード端子
２８ａ  Ｕ字形ブラケット
２８ｂ  溶接タブ部分
２８ｄ  スペード端子
３０  集合ブラック
３０ａ，３０ｂ，３０ｃ  ピンコネクタ受入れみぞ
３０ｄ  コネクタ受入れみぞ
３０ｄｌ  凹部
３０ｅ  開放端部に面する端縁
３０ｆ  向かい合った閉鎖端部
３０ｇ  開放端部に面する端部
３０ｈ  向かい合った閉鎖端部
３０ｉ  導出ピン受入れ開口部
３０ｊ  底壁部
３０ｋ  カム面
３０ｌ  上壁部
３０ｍ  板ばね
３０ｎ  肩部
３０ｏ  電動機保護シート
３０ｐ，３０ｒ  開口部
３０0 1   スロット
３０0 2   壁部
３２  端子
３２ｂ  オフセット部分
３２ｃ  保持タブ
３２ｄ  スペード端子
３２ｅ  ばね突起
３４ａ  めす迅速接続部材
３４ｂ  共通のリード
４ｃ  めすコネクタ
３６  端子
３６ａ  溶接タブ
３６ｂ  めすピンコネクタ
２０″  電動機保護ユニット
４０  集合ブロック
４０ａ  ベース部分
４０ｂ  直立した側壁部
４０ｃ  後壁部
４０ｅ，４０ｆ  前壁部
４０ｇ  蓋
４０ｈ  凹部
４０ｉ，４０ｊ，４０ｋ  開口部
４０1   底壁部
４２  端子
２０´´  電動機保護ユニット
５２  基部
５２ａ  電動機保護装置シート
５２ｂ  端子受入れ支持部材
５２ｃ  みぞ
５２ｄ  切欠部
５２ｅ  フランジ
５２ｆ  凹部
５４  端子
５４ａ  第１部分
５４ｂ  第２部分
５６  端子
５８  リード
５８ａ  ロックタブ
【図１】
0004632187.tif 000002
【図２】
0004632187.tif 000003
【図３】
0004632187.tif 000004
【図４】
0004632187.tif 000005
【図５】
0004632187.tif 000006
【図６】
0004632187.tif 000007
【図７】
0004632187.tif 000008
【図８】
0004632187.tif 000009
【図９】
0004632187.tif 000010
【図１０】
0004632187.tif 000011